(57)【要約】【課題】  簡易な操作で撮影画像データのセキュリティを確保させることができるデジタルカメラを提供する。【解決手段】  メインＣＰＵ４２は、シャッタボタン２９が全押しされて撮影の指令を取得すると、ＣＣＤイメージセンサ５０等を制御して、画像データを取得させるとともに、第１操作部材であるメニューボタン２５が押圧されているか否かの判定を行う。メニューボタン２５が押圧されていると判定された場合、メインＣＰＵ４２は、メディアコントローラ４６を制御して、メニューボタン２５に対応するセキュリティ情報を画像データに付加して、メモリカード３２に記録させる。また、メインＣＰＵ４２は、メディアコントローラ４６を制御して、メモリカード３２内のセキュリティ情報が付加された画像データへのアクセスを禁止する。【選択図】        図７
2005203964.tif 000002
【特許請求の範囲】
【請求項１】
各種設定を行う際に撮影者により操作される複数の操作部材を備え、撮影された画像データを記録媒体に記録させるデジタルカメラにおいて、
前記記録媒体に対する前記画像データの読み書きを制御する読み書き制御手段と、
前記複数の操作部材の中から割り当てられた所定の操作部材である第１操作部材が押圧された状態で、シャッタボタンが押圧されて撮影の指令を取得した場合、前記読み書き制御手段を制御して、前記画像データに前記第１操作部材に対応するセキュリティ情報を付加して記録させる制御手段とを備え、前記制御手段は、前記読み書き制御手段を制御して、前記セキュリティ情報が付加された画像データに対するアクセスを禁止することを特徴とするデジタルカメラ。
【請求項２】
前記第１操作部材は、撮影者が前記複数の操作部材から選択して割り当てられた任意の操作部材であることを特徴とする請求項１記載のデジタルカメラ。
【請求項３】
前記制御手段は、前記第１操作部材と、その他の所定の操作部材である第２操作部材とが同時に操作された時に、前記第１操作部材に対応する前記セキュリティ情報が付加された画像データのセキュリティ情報を無効化してアクセスを許可し、前記画像データへのアクセスが許可された状態で、前記第１操作部材と前記第２操作部材とが同時に操作された時に、前記画像データのセキュリティ情報を有効化して、再びアクセスを禁止することを特徴とする請求項１または２記載のデジタルカメラ。
【請求項４】
前記制御手段は、前記第１操作部材と、前記第２操作部材とが同時に操作された時に、前記第１操作部材に対応する前記セキュリティ情報が付加された画像データに対してのみ、アクセスを許可することを特徴とする請求項３記載のデジタルカメラ。
【請求項５】
前記セキュリティ情報が付加された画像データは、前記第１操作部材毎に対応する専用フォルダにて管理されることを特徴とする請求項１ないし４のいずれか記載のデジタルカメラ。
【発明の詳細な説明】
【技術分野】
【０００１】
本発明は、記録媒体に記録された画像データに対するアクセスを制限するセキュリティ機能を有するデジタルカメラに関する。
【背景技術】
【０００２】
撮影レンズによって結像された被写体像を光電変換して撮影画像を得るＣＣＤイメージセンサ等の撮像手段を備え、撮像手段により取得された撮影画像をデジタルデータとしてメモリカード等の記録媒体に記録するデジタルカメラが知られている。このようなデジタルカメラでは、カメラ本体の背面にＬＣＤパネル等の表示手段を備えており、簡単な操作でメモリカードに記録された画像データをＬＣＤパネルに再生することが可能であり、メモリカードに記録された画像データをパソコン等の外部周辺機器に出力してアルバム化や画像編集を行うことも可能である。
【０００３】
また、最近のメモリカードは記憶容量が大きくなり、多数の画像データを記録することができるので、複数の撮影者でメモリカードを共用することが可能となっている。しかし、複数の撮影者でメモリカードを共用した場合、各撮影者が、メモリカードに記録された全ての画像データに対して自由にアクセスすることが可能であり、本人の許可なしに、秘密にしておきたい画像を第三者に閲覧されてしまったり、メモリカードから画像データを消去されてしまったりする恐れがあり、セキュリティを確保することができないという問題があった。
【０００４】
このような問題を解決するために、撮影者にパスワードを入力させて、撮影された画像データをメモリカードに記録する際に、このパスワードを付加して記録するデジタルカメラが知られている（例えば、特許文献１参照）。このようなデジタルカメラでは、撮影者にパスワードを入力させて、パスワードと合致した画像データに対してアクセスを許可するため、本人の許可なしに、第三者に記録画像を閲覧されてしまったり、メモリカードから画像データを消去されることを防止できるのでセキュリティを確保することができる。
【０００５】
【特許文献１】特開平２００２−２１８３８９号公報
【発明の開示】
【発明が解決しようとする課題】
【０００６】
しかしながら、上記特許文献１に記載のデジタルカメラにおいては、デジタルカメラを使用する際に、撮影者にパスワードを入力させる必要があり、撮影者にとっては操作が煩わしく、操作性を損なうという問題があった。
【０００７】
本発明は上記事情に鑑みてなされたものであり、簡単な操作により、記録媒体に記録された画像データに機密性を持たせることが可能なデジタルカメラを提供することを目的とする。
【課題を解決するための手段】
【０００８】
上記課題を解決するために、本発明のデジタルカメラは、各種設定を行う際に撮影者により操作される複数の操作部材を備え、撮影された画像データを記録媒体に記録させるデジタルカメラであって、前記記録媒体に対する前記画像データの読み書きを制御する読み書き制御手段と、前記複数の操作部材の中から割り当てられた所定の操作部材である第１操作部材が押圧された状態で、シャッタボタンが押圧されて撮影の指令を取得した場合、前記読み書き制御手段を制御して、前記画像データに前記第１操作部材に対応するセキュリティ情報を付加して記録させる制御手段とを備え、前記制御手段は、前記読み書き制御手段を制御して、前記セキュリティ情報が付加された画像データに対するアクセスを禁止することを特徴とするものである。
【０００９】
前記第１操作部材は、撮影者が前記複数の操作部材から選択して割り当てられた任意の操作部材であることが好ましい。
【００１０】
前記制御手段は、前記第１操作部材と、その他の所定の操作部材である第２操作部材とが同時に操作された時に、前記第１操作部材に対応する前記セキュリティ情報が付加された画像データのセキュリティ情報を無効化してアクセスを許可し、前記画像データへのアクセスが許可された状態で、前記第１操作部材と前記第２操作部材とが同時に操作された時に、前記画像データのセキュリティ情報を有効化して、再びアクセスを禁止することが好ましい。
【００１１】
前記制御手段は、前記第１操作部材と、前記第２操作部材とが同時に操作された時に、前記第１操作部材に対応する前記セキュリティ情報が付加された画像データに対してのみ、アクセスを許可することが好ましい。
【００１２】
前記セキュリティ情報が付加された画像データは、前記第１操作部材毎に対応する専用フォルダにて管理されることが好ましい。
【発明の効果】
【００１３】
本発明のデジタルカメラによれば、第１操作部材を押圧しながら撮影した場合には、画像データに対してセキュリティ情報が付加されて記録媒体に記録される。このため、セキュリティ情報が付加された画像データに対するアクセスが禁止され、本人の許可なしに、第３者によって画像データを再生、消去、複製、転送されることを防止できる。また、パスワードの入力等の煩わしい操作が必要なく、撮影時の簡単な操作だけで、画像データのセキュリティを確保することができるので、連続して撮影する場合でも、操作性に支障をきたすことはない。
【００１４】
また、簡単な操作により、セキュリティ情報が付加された画像データへのアクセスの禁止を解除できるようにしたので、機密画像データの確認や各種処理を容易に行うことができる。さらに、第１操作部材に対応するセキュリティ情報が付加された画像データを専用フォルダで一括管理するようにしたので、機密画像データのみを一括処理することができ、画像データの確認や管理を容易に行うことができる。
【発明を実施するための最良の形態】
【００１５】
図１は、本発明のデジタルカメラの外観斜視図である。図１はデジタルカメラ１０の前面側、図２は背面側の構成を示している。デジタルカメラ１０は、カメラ本体１１の前面には、図中矢印方向にスライド操作自在なレンズバリア１２が設けられている。このレンズバリア１２を図１に示す開放位置にスライドさせることにより、撮影レンズ１３、ストロボ発光部１４が前面に露呈される。さらに、このレンズバリア１２は、電源スイッチを兼用しており、開放位置にスライド操作された時に電源がＯＮとなって撮影可能な状態となり、遮蔽位置にスライド操作された時に電源がＯＦＦになる。また、カメラ本体１１の前面には、光学ファインダを構成するファインダ対物窓１５が設けられている。
【００１６】
カメラ本体１１の背面には、ＬＣＤパネル１６、光学ファインダを構成するファインダ接眼窓１７、撮影者により操作され、複数の操作部材で構成される操作部１８が設けられている。ＬＣＤパネル１６には、撮影済みの画像、及び各種設定画面が表示される。また、ＬＣＤパネル１６は、被写体画像をリアルタイムで表示することにより、電子ビューファインダとしても使用される。
【００１７】
操作部１８は、モード切替スイッチ２１、マクロボタン２２、ストロボボタン２３、ズームボタン２４、メニューボタン２５、キャンセルボタン２６、表示ボタン２７、フォトモードボタン（Ｆ）ボタン２８、及び前述のレンズバリア１２を含んで構成されている。モード切替スイッチ２１は、静止画撮影モードと、動画撮影モードと、再生モードとの間でモード切替を行う際に、撮影者によってスライド操作され、各モードが選択される。マクロボタン２２は、マクロ撮影のＯＮ／ＯＦＦを切替える際に、撮影者によって押圧操作される。また、ストロボボタン２３は、ストロボの設定を変更する際に、撮影者により押圧操作され、自動発光、強制発光、発光禁止が選択可能にされている。
【００１８】
さらに、ズームボタン２４は、撮影レンズ１３のズームレンズをワイド端と、テレ端との間で移動させて光学撮影倍率を変更する際に、撮影者によって上下方向に操作される。メニューボタン２５は、メニュー画面をＬＣＤパネル１６に表示させる際に、撮影者によって押圧操作され、メニュー画面内で選択を決定する際の決定ボタンとしても使用される。また、キャンセルボタン２６は、メニュー画面内での各種設定の操作を途中でやめる場合、または前画面に戻す場合に押圧操作される。表示ボタン２７は、ＬＣＤパネル１６のＯＮ，ＯＦＦを切替える際に、撮影者によって押圧操作される。Ｆボタン２８は、撮影画像の画素数や、ＩＳＯ感度を変更する際に、撮影者によって押圧操作される。
【００１９】
また、前述のマクロボタン２２、ストロボボタン２３、ズームボタン２４は、ＬＣＤパネル１６に表示されるメニュー画面内でカーソルを移動させるカーソル操作ボタンとしても使用され、さらに、再生モード時の再生画像の順送り、逆送りの操作にも使用される。
【００２０】
カメラ本体１１の上面には、シャッタボタン２９が設けられている。このシャッタボタン２９は、２段階押しのスイッチとなっている。撮影者が、ＬＣＤパネル１６または光学ファインダを用いてフレーミングを行った後に、レリーズボタン２９を軽く押圧（半押し）すると、露光調節、撮影レンズ１３の焦点調節などの各種撮影準備処理が施され、シャッタボタン２９をもう１度強く押圧（全押し）すると撮影が実行される。また、カメラ本体１１の側面には、メモリカードスロット３０、外部出力端子３１が設けられている。メモリカードスロット３０には、画像データが記録される記録媒体であるメモリカード３２が着脱自在に装填される。外部出力端子３１はＵＳＢ端子であり、メモリカード３２に記録された画像データを外部装置、例えばパーソナルコンピュータ等に出力する際に使用される。
【００２１】
また、デジタルカメラ１０は、本人の許可なしに、第３者によってメモリカード３２に記録された画像データを閲覧されたり、消去されたり、複製されたり、外部に転送されることを防止するセキュリティ機能を有している。操作部１８のうち所定の操作部材である第１操作部材、例えば、メニューボタン２５を押圧しながら、シャッタボタン２９を全押しして撮影を行った場合に画像データに、メニューボタン２５に対応するセキュリティ情報が付加されてメモリカード３２に記録される。セキュリティ情報が付加されて記録された画像データは、ＬＣＤパネル１６に再生されたり、消去されたり、複製されたり、外部出力端子３１を介して外部に転送されることが禁止されてロック状態となり、全てのアクセスが禁止される。
【００２２】
このセキュリティ機能では、操作部１８のうち所定の操作部材である第１操作部材を押しながらシャッタボタン２９を全押しして撮影を行った時に、画像データにセキュリティ情報が付加されるが、セキュリティ機能に使用される第１操作部材は、複数の操作部材で構成される操作部１８の中から撮影者によって任意に割り当てられる。
【００２３】
例えば、図３に示すような、割り当てボタン選択画面において、ズームボタン２４を上下に操作することにより、割り当てるボタンにカーソル３５を移動させ、メニューボタン２５を押圧して選択することにより、セキュリティ機能に使用する第１操作部材としてボタンを割り当てることができる。このようなボタンの割り当ては、１つのボタンのみを第１操作部材として割り当て可能にしても良いし、複数のボタンを第１操作部材として割り当てられるようにしても良い。
【００２４】
また、セキュリティ情報が付加された画像データのロック状態を解除するには、第１操作部材と、第２操作部材、例えば、モード切替スイッチ２１とが同時に操作された時に、第１操作部材に対応するセキュリティ情報が付加された画像データのセキュリティ情報が無効化して、画像データへのアクセスが許可されてロック状態が解除され、ロック状態が解除された状態で、第１操作部材と、第２操作部材であるモード切替スイッチ２１とが同時に操作された時に、画像データのセキュリティ情報が有効化して、画像データへのアクセスが禁止されて、再びロック状態となる。
【００２５】
図４は、デジタルカメラ１０の電気的構成を示すブロック図である。ＤＳＰ（Digital Signal Processor）４１は、制御手段であるメインＣＰＵ４２及び信号処理回路４３を備えている。メインＣＰＵ４２は操作部１８から入力される操作信号を取得して、この操作信号に基づいてデジタルカメラ１０の各部を制御する。ＲＯＭ４４は、メインＣＰＵ４２が実行する制御プログラムや、各種制御用データ等が記憶されている。フラッシュメモリ４５は、周知のように、データの書き換えが可能な不揮発性メモリであり、このメモリには、撮影者によって設定された各種設定情報、例えば、セキュリティ機能に使用される第１操作部材に割り当てられたボタンの情報等が記憶される。
【００２６】
メモリカード３２は、カメラ本体１１に着脱自在にセットされ、撮影された画像データが記録される。読み書き制御手段であるメディアコントローラ４６は、メモリカード３２へアクセスして画像ファイルの書き込み、読み込みの制御を行う。この画像ファイルは、図５に示すように、撮影された画像データ（例えば、ＪＰＥＧ形式に圧縮された静止画像データ）と、撮影日時、撮影条件、撮影モード、セキュリティ情報等の情報を含むＥＸＩＦＴＡＧとで構成される。メインＣＰＵ４２は、撮影された画像データをメモリカード３２に書き込む際に、メディアコントローラ４６を制御して、画像データにＥＸＩＦＴＡＧを付加した画像ファイルをメモリカード３２に記録させる。
【００２７】
また、メインＣＰＵ４２は、第１操作部材、つまりセキュリティ機能に割り当てられたボタンが押されながら撮影された画像データをメモリカード３２に記録させる際は、メディアコントローラ４６を制御して、画像ファイルのＥＸＩＦＴＡＧにセキュリティ情報を付加して記録させる。このセキュリティ情報は、割り当てボタン名、画像ファイルが管理される管理フォルダ名、画像ファイルへのアクセスが禁止状態か、許可状態かを示すロック状態情報、ロック履歴を含んで構成されている。
【００２８】
さらに、第１操作部材に対応するセキュリティ情報が付加された画像ファイルは、第１操作部材に対応する専用のフォルダにて一括に管理される。例えば、図６に示すように、静止画像ファイルを管理する静止画像フォルダには、通常画像フォルダと、複数の機密画像フォルダが含まれる。通常画像フォルダには、セキュリティ情報が付加されていない通常画像ファイルが管理される。また、機密画像フォルダには、セキュリティ情報が付加された機密画像ファイルが管理される。この機密画像フォルダは、割り当てボタン（第１操作部材）毎に専用に複数設けられており、機密画像フォルダは、割り当てボタン（第１操作部材）の個数分設けられている。
【００２９】
なお、静止画像の画像ファイルのフォルダ管理について説明を行ったが、動画の画像ファイルについても同様の方法でフォルダ管理される。
【００３０】
メインＣＰＵ４２は、メディアコントローラ４６を制御して画像データをメモリカード３２から読み出す際に、セキュリティ情報が付加された画像ファイルの画像データを読み出さない。つまり、再生モードにおいて、画像データを再生する際に、セキュリティ情報が付加された画像データを再生することが禁止され、第３者によって勝手に画像を閲覧されることを防止することができる。また、メインＣＰＵ４２は、メディアコントローラ４６を制御して、セキュリティ情報が付加された画像データの消去、複製、転送を行わせない。
【００３１】
図４に示すように、撮影レンズ１３は、モータを含むレンズ駆動機構４７によって駆動される。レンズ駆動機構４７は、撮影レンズ１３を光軸方向に進退移動させる。レンズ駆動回路４８は、メインＣＰＵ４２からの指令に基づいてレンズ駆動機構４７を制御して、光学撮影倍率の変更と焦点調節を行う。撮影レンズ１３の背後には、撮像手段であるＣＣＤイメージセンサ５０が配置されている。ＣＣＤイメージセンサ５０は、周知のように、多数の受光素子がマトリックス状に配列された光電面を備えており、撮影レンズを通過し、この光電面に結像した被写体光を光電変換する。
【００３２】
ＣＣＤイメージセンサ５０は、ＣＣＤドライバ５１から供給される垂直転送クロック及び水平転送クロックに同期して、画素毎に蓄積された電荷を１ラインずつシリアルな撮像信号としてアナログ信号処理回路５２に出力する。アナログ信号処理回路５２は、相関二重サンプリング回路（ＣＤＳ）、ゲイン調節回路であるＡＧＣ回路、ＡＤ変換器等で構成され、アナログ信号である撮像信号のノイズを除去するとともに、ゲイン調節した後、撮像信号をアナログ信号からデジタル信号に変換して画像データを生成する。
【００３３】
ＣＣＤイメージセンサ５０は、撮影モードが選択されると、スルー画の取り込みを開始し、シャッタボタン２９が全押しされて本撮影指示がなされたときに、スルー画の取り込みを一旦中断して撮影を行う。本撮影が終了すると、スルー画の取り込みが再開される。取り込まれたスルー画や撮影画像は、ＤＳＰ４１を介してフレームメモリ５３へ書き込まれる。
【００３４】
フレームメモリ５３は、画像処理回路４３が画像データに対して各種信号処理を施す際に使用される作業用メモリである。フレームメモリ５３は、データバス５４を介して、ＤＳＰ４１と接続されている。フレームメモリ５３としては、例えば、ＳＤＲＡＭが使用される。フレームメモリ５３に書き込まれた画像は、ＤＳＰ４１によって各種の画像処理が施させる。
【００３５】
画像処理回路４３は、画質補正処理回路６１、ＹＣ処理部６２、圧縮伸張処理部６３、及び出力画像生成部６４で構成される。画質補正処理回路６１は、画像データに対して、ガンマ補正、シャープネス補正、コントラスト補正などの補正処理を施す。ＹＣ処理部６２は、ＣＣＤ−ＲＡＷデータを輝度データと色差データとからなるＹＣデータへ変換する。圧縮伸張処理部６３は、ＹＣデータに対して圧縮及び伸張処理を施す。画像データがメモリカードに記録される際には、この圧縮伸張処理部６３によって圧縮処理が施される。また、再生モードにおいては、圧縮伸張処理部６３が、メモリカード３２から読み出された画像データに対して伸張処理を施す。
【００３６】
出力画像生成部６４は、静止画撮影モード、動画撮影モード、再生モードにおいて、ＬＣＤパネル１６に画像を出力するための出力画像を生成する。また、ＶＲＡＭ６５は、表示出力用に使用されるメモリであり、出力画像生成部６４によって生成された出力画像データが書き込まれる。ビデオエンコーダ６６は、ＶＲＡＭ６５から出力画像データを読み出して、デジタル信号の画像データをアナログのコンポジット信号（映像信号）に変換してＬＣＤドライバ６７に出力する。ＬＣＤドライバ６７は、取得した映像信号に基づいてＬＣＤパネル１６を駆動して画像を表示させる。また、メインＣＰＵ４２には、データバス５４を介して操作部１８、外部出力端子３１が接続されている。
【００３７】
次に、上記構成のデジタルカメラ１０の作用について説明を行う。最初に、図７のフローチャートを用いて撮影処理について説明を行う。なお、モード切替スイッチ２１が静止画撮影モードに設定され、第１操作部材として、メニューボタン２５が割り当てられている場合について説明を行う。モード切替スイッチ２１により、静止画撮影モードが選択されると、デジタルカメラ１０は、撮影待機状態となる。
【００３８】
撮影者は、シャッタボタン２９が半押しされて、露光調節、焦点調節等の撮影準備が施される。シャッタボタン２９が全押しされない場合は、撮影待機状態が維持される。その後、シャッタボタン２９が全押しされると、メインＣＰＵ４２が、撮影の指令を取得して、ＣＣＤイメージセンサ５０等を制御して画像データを取得させるとともに、同時に第１操作部材、つまりメニューボタン２５が押圧されているか否かの判定を行う。メニューボタン２５が押圧されていると判定された場合、メインＣＰＵ４２は、メディアコントローラ３２を制御して、ＥＸＩＦＴＡＧにメニューボタン２５に対応するセキュリティ情報を付加し、取得された画像データとＥＸＩＦＴＡＧとで構成される画像ファイル（例えば、機密画像１−１．ｊｐｇ）がメモリカード３２に記録される。このセキュリティ情報には、第１操作部材に割り当てられているボタン名（メニューボタン２５）、メニューボタン２５に対応するフォルダ名（例えば、機密画像フォルダ１）等の情報を含んでおり、機密画像１−１．ｊｐｇは、機密画像フォルダ１にて管理される。
【００３９】
また、メニューボタン２５が押圧されていないと判定された場合、ＥＸＩＦＴＡＧにセキュリティ情報が付加されずに、取得された画像データとＥＸＩＦＴＡＧとで構成される画像ファイル（例えば、通常画像１．ｊｐｇ）がメモリカード３２に記録され、この通常画像１．ｊｐｇは、通常画像フォルダにて管理される。
【００４０】
その後、モード切替スイッチにより、他のモードに変更された場合や、電源がＯＦＦにされた場合、撮影処理を終了する。また、静止画撮影モードに設定されたままの状態であれば、最初の処理に戻り、撮影処理を繰り返して実行する。
【００４１】
また、第１操作部材として複数のボタンが割り当てられいる場合、すなわち、第１操作部材として割り当てられた複数のボタンの情報等がフラッシュメモリ４５に記憶されている場合、メニューボタン２５以外のボタン、例えば、キャンセルボタン２６が押圧されながら、シャッタボタン２９が押圧されて撮影を行った場合は、メインＣＰＵ４２が、キャンセルボタン２６が、第１操作部材としてフラッシュメモリ４５に登録されているかを判定する。キャンセルボタン２６が、第１操作部材としてフラッシュメモリ４５に登録されていないと判定された場合、メインＣＰＵ４２は、メディアコントローラ３２を制御して、ＥＸＩＦＴＡＧにセキュリティ情報を付加させずに、通常画像ファイルとしてメモリカード３２に記録させる。
【００４２】
また、キャンセルボタン２６が、第１操作部材としてフラッシュメモリ４５に登録されていると判定された場合、メインＣＰＵ４２は、メディアコントローラ３２を制御して、ＥＸＩＦＴＡＧにキャンセルボタン２６に対応するセキュリティ情報を付加し、取得された画像データとＥＸＩＦＴＡＧとで構成される画像ファイル（例えば、機密画像２−１．ｊｐｇ）がメモリカード３２に記録される。このセキュリティ情報には、第１操作部材に割り当てられているボタン名（キャンセルボタン２６）、キャンセルボタン２６に対応するフォルダ名（例えば、機密画像フォルダ２）等の情報が含まれており、機密画像２−１．ｊｐｇは、機密画像フォルダ２にて管理される。このように、割り当てられたボタン毎に専用のフォルダで管理されるので、画像ファイルの管理を行いやすい。
【００４３】
このように、第１操作部材を押圧しながら撮影した場合には、画像データに対してセキュリティ情報が付加されてメモリカード３２に記録され、セキュリティ情報が付加された画像データに対するアクセスが禁止されるので、本人の許可なしに、第３者によって画像データを再生、消去、複製、外部に転送されることを防止できる。また、パスワードの入力等の煩わしい操作が必要ないので、連続して撮影する場合でも、操作性に支障をきたすことはない。
【００４４】
なお、モード切替スイッチ２１により、動画撮影モードに設定されている場合の撮影処理も、静止画撮影モードと同様に行われるので説明を省略する。
【００４５】
次に、図８のフローチャートを用いて再生処理について説明を行う。なお、第１操作部材としてメニューボタン２５が割り当てられている場合について説明を行う。モード切替スイッチ２１をスライド移動して、再生モードに切替えられた時に、メインＣＰＵ４２が、第１操作部材、つまりメニューボタン２５が押圧されているか否かの判定を行う。
【００４６】
メニューボタン２５が押圧されていないと判定された場合、メインＣＰＵ４２は、メディアコントローラ４６を制御して、セキュリティ情報が付加されていない画像ファイル、つまり通常画像フォルダにて管理されている通常画像ファイルのみをメモリカード３２から読み出させ、セキュリティ情報が付加されている画像ファイル、つまり機密画像フォルダにて管理されている機密画像ファイルを読み出させない。
【００４７】
その後、通常画像ファイルの画像がＬＣＤパネル１６に再生され、マクロボタン２２、ストロボボタン２３を押圧操作することにより、通常画像フォルダ内に管理されている画像ファイルの画像データが、順送りまたは逆送りでＬＣＤパネル１６に順次再生される。また、通常画像フォルダ内に管理されている通常画像ファイルの画像データをＬＣＤパネル１６に一覧表示しても良い。また、この場合は、通常画像フォルダ内の通常画像ファイルの消去や複製が可能である。また、外部出力端子３１を介して、外部装置、例えば、パソコンにも画像ファイルを転送可能である。
【００４８】
メニューボタン２５が押圧されていると判定された場合、メインＣＰＵ４２が、メディアコントローラ４６を制御して、メニューボタン２５に対応する機密画像フォルダ、例えば機密画像フォルダ１にて管理されている機密画像ファイルをメモリカード３２から読み出す。この時、通常画像フォルダや、メニューボタン２５に対応していない機密画像フォルダ（例えば、機密画像フォルダ２）に管理されている画像ファイルは読み出さない。
【００４９】
その後、機密画像フォルダ１内の機密画像ファイルがＬＣＤパネル１６に再生され、マクロボタン２２、ストロボボタン２３を押圧操作することにより、機密画像フォルダ１内に管理されている機密画像ファイルの画像データが、順送りまたは逆送りでＬＣＤパネル１６に順次再生される。また、機密画像フォルダ１内に管理されている機密画像ファイルの画像データをＬＣＤパネル１６に一覧表示しても良い。また、この場合は、機密画像フォルダ１内の機密画像ファイルの消去や複製が可能である。また、外部出力端子３１を介して、外部装置、例えば、パソコンにも機密画像ファイルを転送可能である。
【００５０】
その後、第２操作部材であるモード切替スイッチ２１が、再生モードから他のモードに切替えられた時に、メインＣＰＵ４２が、第１操作部材であるメニューボタン２５が押圧されているか否かを判定する。メニューボタン２５が押圧されていないと判定された場合には、機密フォルダ１内の機密画像ファイルのロックが解除された状態のまま、セキュリティ情報のロック履歴を更新して再生処理を終了する。
【００５１】
また、メニューボタン２５が押圧されていると判定された場合には、機密フォルダ１内の機密画像ファイルをロック状態に戻し、セキュリティ情報のロック履歴を更新して再生処理を終了する。
【００５２】
このように、メニューボタン２５に対応する機密画像フォルダ１内の機密画像フォルダ内の機密画像ファイルは、一括してロックが解除され、機密画像フォルダ１内の機密画像ファイルを一括処理することができ、確認処理を容易に行うことができ、確認処理忘れを防止することができる。なお、作用の説明において、静止画像を撮影する静止画撮影モードについて説明を行ったが、動画を撮影する動画撮影モードの場合も同様の処理が行われる。
【００５３】
なお、本実施形態においては、第２操作部材としてモード切替スイッチ２１を用いるように説明を行ったが、モード切替スイッチ２１ではなく、例えば、電源スイッチを兼用するレンズバリア１２を第２操作部材に設定しても良い。この場合は、第１操作部材を押圧しながら、レンズバリア１２を開放位置（ＯＮ位置）にスライド操作した時に、第１操作部材に対応する機密画像フォルダ１内の機密画像ファイルへのアクセスが許可されて、ロック状態が解除される。さらに、ロックが解除された状態で、第１操作部材を押圧しながら、レンズバリア１２を遮蔽位置（ＯＦＦ位置）にスライド操作した時に、第１操作部材に対応する機密画像フォルダ１内の機密画像ファイルへのアクセスが禁止され、再びロック状態となる。
【００５４】
また、本実施形態においては、機密画像フォルダのロックが解除された時に、通常画像フォルダにて管理されている通常画像ファイルが読み出さないように説明を行ったが、通常画像フォルダにて管理されている通常画像ファイルも読み出し可能にして、再生、消去、外部への転送をできるようにしても良い。
【００５５】
さらに、本実施形態においては、機密画像ファイルのロックを解除する際に、第１操作部材に対応する機密画像フォルダ内に含まれる機密画像ファイルのロックを一括して解除するように説明を行ったが、機密画像ファイルを個別にロック解除できるようにしても良い。
【００５６】
また、本実施形態においては、デジタルカメラによって撮影された画像データにセキュリティ情報を付加してメモリカードに記録させ、デジタルカメラから画像データにアクセスすることを制限するように説明を行ったが、パソコンや、他のデジタルカメラから、メモリカード内のセキュリティ情報が付加された画像データへのアクセスすることを制限できるようにしても良い。
【図面の簡単な説明】
【００５７】
【図１】デジタルカメラの前面側を示す外観斜視図である。
【図２】デジタルカメラの背面側を示す外観斜視図である。
【図３】第１操作部材に割り当てるボタンを設定する画面を示す説明図である。
【図４】デジタルカメラの電気的構成を示すブロック図である。
【図５】画像ファイルの構成を示す説明図である。
【図６】画像ファイルのフォルダ管理方法を示す説明図である。
【図７】デジタルカメラの撮影処理を説明するフローチャートである。
【図８】デジタルカメラの再生処理を説明するフローチャートである。
【符号の説明】
【００５８】
１０  デジタルカメラ
１８  操作部
２９  シャッタボタン
１６  ＬＣＤパネル
２１  モード切替スイッチ
２２  マクロボタン
２３  ストロボボタン
２４  ズームボタン
２５  メニューボタン
２６  キャンセルボタン
３２  メモリカード
４２  メインＣＰＵ
４６  メディアコントローラ
５０  ＣＣＤイメージセンサ
【図１】
2005203964.tif 000003
【図２】
2005203964.tif 000004
【図３】
2005203964.tif 000005
【図４】
2005203964.tif 000006
【図５】
2005203964.tif 000007
【図６】
2005203964.tif 000008
【図７】
2005203964.tif 000009
【図８】
2005203964.tif 000010